(57)【要約】【課題】足の爪切り、足の爪又は皮膚の研磨に伴い発生するカスの飛散を防止すると共にカスを回収可能であり、衛生的で使い勝手の良いフットケアカバーを提供する。【解決手段】本発明のフットケアカバー２は、足の爪切り、足の爪又は皮膚の研磨に伴い発生するカスの飛散を防止すると共に前記カスを回収するカス飛散防止袋７１と、前記カス飛散防止袋７１を支持するフットケアカバー本体６とを含み、前記フットケアカバー本体６は、被施術者の足１０１を入れる足挿入口及び施術者の手１０３を入れる手挿入口を備えるカス飛散防止袋７１を取付けるための上部カバー２２と、前記上部カバー２２を上方に支持し、上部カバー２２に取付けられた前記カス飛散防止袋７１内に被施術者の足１０１及び施術者の手１０３を入れる空間を確保する脚３２とを備え、前記上部カバー２２は、内側が視認可能である。【選択図】図１２
2016147041.tif 000002
【特許請求の範囲】
【請求項１】
足の爪切り、足の爪又は皮膚の研磨に伴い発生するカスの飛散を防止すると共に前記カスを回収するカス飛散防止袋と、前記カス飛散防止袋を支持するフットケアカバー本体とを含み構成されるフットケアカバーの前記フットケアカバー本体であって、
被施術者の足を入れる足挿入口及び施術者の手を入れる手挿入口を備えるカス飛散防止袋を取付けるための上部カバーと、
前記上部カバーを上方に支持し、上部カバーに取付けられた前記カス飛散防止袋内に被施術者の足及び施術者の手を入れる空間を確保する脚と、
を備え、
前記上部カバーは、内側が視認可能なことを特徴とするフットケアカバー本体。
【請求項２】
前記上部カバーは、前記脚に軸受を介して回動可能に取付けられていることを特徴とする請求項１に記載のフットケアカバー本体。
【請求項３】
前記上部カバーは、前記軸受を中心に上下反転可能なことを特徴とする請求項２に記載のフットケアカバー本体。
【請求項４】
前記上部カバーは、半球形状を有し、側面視において下辺部が傾斜又は湾曲し、下辺両端部の位置が中心部の位置に比較して上がっていることを特徴とする請求項１から請求項３のいずれか１項に記載のフットケアカバー本体。
【請求項５】
前記上部カバーは、半球状のカバーと、前記カバーの下端部に設けられた鍔とを有し、
前記鍔は、側面視において傾斜又は湾曲し、両端部の位置が中心部の位置に比較して上がっていることを特徴とする請求項１から請求項４のいずれか１項に記載のフットケアカバー本体。
【請求項６】
前記上部カバーには、カスの付着防止手段又はカスの付着抑制手段が施されていることを特徴とする請求項１から請求項５のいずれか１項に記載のフットケアカバー本体。
【請求項７】
請求項１から請求項６のいずれか１項に記載のフットケアカバー本体に取付け使用するカス飛散防止袋であって、
袋の側面の一部を切欠き及び／又は袋の側面の一部に切れ込みを設け、前記足挿入口及び手挿入口が形成されており、使い捨ての袋であることを特徴とするカス飛散防止袋。
【請求項８】
袋の上端部に、前記上部カバーに取付け固定するための固定具が設けられていることを特徴とする請求項７に記載のカス飛散防止袋。
【請求項９】
前記固定具がゴムバンドであることを特徴とする請求項８に記載のカス飛散防止袋。
【請求項１０】
請求項１から請求項６のいずれか１項に記載のフットケアカバー本体と、
請求項７から請求項９のいずれか１項に記載のカス飛散防止袋と、
を含むことを特徴とするフットケアカバー。
【発明の詳細な説明】
【技術分野】
【０００１】
本発明は、足の爪切り、足の爪又は皮膚の研磨に伴い発生するカスの飛散を防止するフットケアカバーに関する。
【背景技術】
【０００２】
糖尿病患者は、神経障害により足にけがや傷ができても気付き難く症状を悪化させ易い一方で、傷等を治癒する働きが弱いことが指摘されている。このため糖尿病患者は、巻き爪、深爪、さらには白癬、ウオノメ、タコ等に注意が必要である。現在、病院では、糖尿病患者に対して爪切りや角質除去などのフットケアが行われている。
【０００３】
フットケアでは、爪切りの他、ハンドグラインダー、リューター（ルーター）あるいはヤスリを用いた爪、皮膚の研磨がなされている。糖尿病患者は、足白癬や爪白癬に罹患し易いためハンドグラインダー等を使用したフットケアにおいては、研磨を行った際に出る研磨カスが飛散し、白癬菌の感染が拡大することが懸念されている（例えば特許文献１参照）。また研磨カスが飛散するとこれを回収する必要が生じ手間が掛かる。
【０００４】
上記問題を解決するために爪又は皮膚を研磨した際に出る研磨カスを消毒しつつ、研磨カスの飛散を防止する研磨カス飛散防止組成物が提案されている（例えば特許文献１参照）。この組成物は、アルコールと増粘用高分子とゲル化剤とを含有してなり、研磨対象である爪等に塗布した後に、グラインダー等で研磨すると、研磨カスが周囲に飛散することなく組成物内に捕捉されるというものである。
【０００５】
フットケア装置としては、手を使用することなく足から余分な皮膚を除去するフットケア装置もある。このフットケア装置は、スリッパ状の装置であり、上面に研磨部材を有し、研磨部材に足を擦り付け皮膚を除去する（例えば特許文献２参照）。
【先行技術文献】
【特許文献】
【０００６】
【特許文献１】特開２０１２−１３１７３４号公報
【特許文献２】特開２００７−２１１６９号公報
【発明の概要】
【発明が解決しようとする課題】
【０００７】
特許文献１に記載の研磨カス飛散防止組成物を使用すれば、グラインダー等を用いた研磨において研磨カスの飛散を低減させることは可能であるが、飛散を完全に防止することはできない。このため飛散した研磨カスの回収に手間が掛かるという問題は残ったままである。特許文献２に記載のフットケア装置は、構造的に糖尿病患者の爪切りや角質除去には適さない。
【０００８】
この他、足の爪を切る際に生じる爪屑の飛散を防止する防止器もあるが（例えば実用新案登録第３１５１３７５号公報）、糖尿病患者に対しては、透析中に爪切りや角質除去などのフットケアが行われることが多く、当該防止器は糖尿病患者の爪切りや角質除去には適さない。
【０００９】
本発明は、足の爪切り、足の爪又は皮膚の研磨に伴い発生するカスの飛散を防止すると共にカスを回収可能であり、衛生的で使い勝手の良いフットケアカバー及びそれに使用するカス飛散防止袋、フットケアカバー本体を提供することである。
【課題を解決するための手段】
【００１０】
本発明は、足の爪切り、足の爪又は皮膚の研磨に伴い発生するカスの飛散を防止すると共に前記カスを回収するカス飛散防止袋と、前記カス飛散防止袋を支持するフットケアカバー本体とを含み構成されるフットケアカバーの前記フットケアカバー本体であって、被施術者の足を入れる足挿入口及び施術者の手を入れる手挿入口を備えるカス飛散防止袋を取付けるための上部カバーと、前記上部カバーを上方に支持し、上部カバーに取付けられた前記カス飛散防止袋内に被施術者の足及び施術者の手を入れる空間を確保する脚と、を備え、前記上部カバーは、内側が視認可能なことを特徴とするフットケアカバー本体である。
【００１１】
本発明のフットケアカバー本体に、カス飛散防止袋を取付ければ、カス飛散防止袋内に被施術者の足及び施術者の手を入れるための空間を確保することができ、さらにカス飛散防止袋を取付ける上部カバーが視認性に優れるため使い勝手がよい。カス飛散防止袋内で足の爪切り、足の爪又は皮膚の研磨を行うことでカスの飛散を防止し、さらにカスを回収することができるので衛生的である。
【００１２】
また本発明のフットケアカバー本体において、前記上部カバーは、前記脚に軸受を介して回動可能に取付けられていることを特徴とする。
【００１３】
本発明によれば、上部カバーが回動可能なため、施術者は、上部カバーを回転させ好みの角度にすることで作業をし易い体勢、位置を確保することができ、被施術者は、カス飛散防止袋内に足を入れ易い体勢、位置を確保することができる。
【００１４】
また本発明のフットケアカバー本体において、前記上部カバーは、前記軸受を中心に上下反転可能なことを特徴とする。
【００１５】
本発明によれば、上部カバーが上下反転可能なためカス飛散防止袋の取付けを容易に行える。
【００１６】
また本発明のフットケアカバー本体において、前記上部カバーは、半球形状を有し、側面視において下辺部が傾斜又は湾曲し、下辺両端部の位置が中心部の位置に比較して上がっていることを特徴とする。
【００１７】
また本発明のフットケアカバー本体において、前記上部カバーは、半球状のカバーと、前記カバーの下端部に設けられた鍔とを有し、前記鍔は、側面視において傾斜又は湾曲し、両端部の位置が中心部の位置に比較して上がっていることを特徴とする。
【００１８】
本発明によれば、カス飛散防止袋の上面を蓋う上部カバーが半球状であるので、いずれの方向であっても視認性に優れる。本発明のフットケアカバーを使用する施術者は、それぞれ作業をし易い体勢、位置が異なるので、いずれの方向であっても視認性に優れる上部カバーを備えるフットケアカバー本体は、使い勝手がよい。また上部カバーの下辺が側面視においてＶ字状、あるいはＵ字状となっているので、カス飛散防止袋内に施術者の手又は被施術者の足を入れ易い。また下端部に鍔を有する上部カバーは、カス飛散防止袋を取付け易く、また取付けたカス飛散防止袋がずり落ちず使い易い。
【００１９】
また本発明のフットケアカバー本体において、前記上部カバーには、カスの付着防止手段又はカスの付着抑制手段が施されていることを特徴とする。
【００２０】
本発明によれば、カス飛散防止袋の上面を蓋う上部カバーは、カスが付着し難いので、視認性が確保され、足の爪切り、足の爪又は皮膚の研磨作業を支障なく行える。
【００２１】
本発明は、前記フットケアカバー本体に取付け使用するカス飛散防止袋であって、袋の側面の一部を切欠き及び／又は袋の側面の一部に切れ込みを設け、前記足挿入口及び手挿入口が形成されており、使い捨ての袋であることを特徴とするカス飛散防止袋である。
【００２２】
本発明のカス飛散防止袋は、使い捨て（使い切り）の袋であるので衛生的であり、そのまま廃棄することもできるので使い勝手がよい。また本発明によれば、足挿入口及び手挿入口は、カス飛散防止袋の側面の一部に切欠き及び／又は切れ込みを設け形成することができるので、特殊な袋を使用する必要がなくコスト面で有利である。特にカス飛散防止袋が使い捨てであることから、安価なポリエチレン製の袋などを使用できるメリットは大きい。
【００２３】
また本発明のカス飛散防止袋は、袋の上端部に、前記上部カバーに取付け固定するための固定具が設けられていることを特徴とする。
【００２４】
また本発明のカス飛散防止袋は、前記固定具がゴムバンドであることを特徴とする。
【００２５】
本発明によれば、カス飛散防止袋は、上端部にゴムバンドなどの固定具を備えるので、上部カバーに簡単に取付け使用することができる。
【００２６】
本発明は、前記フットケアカバー本体と、前記カス飛散防止袋と、を含むことを特徴とするフットケアカバーである。
【００２７】
本発明のフットケアカバーを使用すれば、カス飛散防止袋の中で被施術者の足の爪切り、足の爪又は皮膚を研磨することができるのでカスの周囲への飛散を確実に防止し、さらにカスを回収することができる。またカス飛散防止袋が使い捨て（使い切り）の袋であるので衛生的であり、そのまま廃棄することもできるので使い勝手がよい。
【発明の効果】
【００２８】
本発明によれば、足の爪切り、足の爪又は皮膚の研磨に伴い発生するカスの飛散を防止すると共にカスを回収可能であり、衛生的で使い勝手の良いフットケアカバー及びそれに使用するカス飛散防止袋、フットケアカバー本体を提供することができる。
【図面の簡単な説明】
【００２９】
【図１】本発明の第１実施形態のフットケアカバー１の外観図である。
【図２】本発明の第１実施形態のフットケアカバー１の正面図である。
【図３】本発明の第１実施形態のフットケアカバー１の使用状態を示す平面図である。
【図４】本発明の第１実施形態のフットケアカバー１の脚３１を折り畳んだ状態を示す図である。
【図５】図１のフットケアカバー１のフットケアカバー本体５の外観図である。
【図６】図１のフットケアカバー１のフットケアカバー本体５の脚３１を折り畳んだ状態を示す平面図である。
【図７】図１のフットケアカバー１で使用するカス飛散防止袋１１の使用前の正面図である。
【図８】図１のフットケアカバー１に取付ける直前のカス飛散防止袋１１の外観図である。
【図９】本発明の第２実施形態のフットケアカバー２のフットケアカバー本体６の外観図である。
【図１０】本発明の第２実施形態のフットケアカバー２のフットケアカバー本体６の側面図である。
【図１１】本発明の第２実施形態のフットケアカバー２のフットケアカバー本体６に本発明のカス飛散防止袋７１を取付けている様子を示す図である。
【図１２】本発明の第２実施形態のフットケアカバー２の使用状態を示す図である。
【図１３】本発明の第２実施形態のフットケアカバー２の使用例を示す図である。
【図１４】本発明のカス飛散防止袋７１の外観図である。
【発明を実施するための形態】
【００３０】
図１は、本発明の第１実施形態のフットケアカバー１の外観図、図２は、フットケアカバー１の正面図、図３は、フットケアカバー１の使用状態を示す平面図、図４は、フットケアカバー１の脚３１を折り畳んだ状態を示す図である。図５は、フットケアカバー１のフットケアカバー本体５の外観図、図６は、フットケアカバー１のフットケアカバー本体５の脚３１を折り畳んだ状態を示す平面図である。図７は、フットケアカバー１で使用するカス飛散防止袋１１の使用前の正面図、図８は、フットケアカバー１に取付ける直前のカス飛散防止袋１１の外観図である。図１、図２、図７及び図８において図中に黒の輪郭線、点線が見られるが、これは手挿入口などの位置、形状を明確にするために記載したものである。
【００３１】
フットケアカバー１は、看護師など施術者が、糖尿病患者など被施術者の足１０１の爪切り、足１０１の爪又は皮膚の研磨などを行う際に使用する器具であって、研磨等で発生するカスの飛散を防止すると共にカスを回収する。よってフットケアカバー１は、カス飛散防止装置、カス飛散防止回収装置ということもできる。第２実施形態のフットケアカバー２も同様である。
【００３２】
フットケアカバー１は、カス飛散防止袋１１と、カス飛散防止袋１１を吊り下げるように支持するフットケアカバー本体５と、カス飛散防止袋１１の側部を把持するクリップ４１と、カス飛散防止袋１１を上部カバー２１に固定する固定バンド５１とを有する。
【００３３】
カス飛散防止袋１１は、施術者が、ルーター１１０等を使用し、被施術者の足１０１の爪又は皮膚の研磨などを行う際に、発生するカスが周囲に飛散することを防止し、カスを回収するための袋であって、使用の際には、フットケアカバー本体５の上部カバー２１に吊り下げるように取付けられる。ここでカスには、足１０１の爪切りに伴い発生する爪の切り屑、足１０１の爪又は皮膚の研磨で発生する研磨カスが含まれる。
【００３４】
被施術者の足１０１の爪等の研磨は、カス飛散防止袋１１の中で行われる。このためカス飛散防止袋１１には、側部１３に被施術者の足１０１を入れるための足挿入口１５が１つと施術者の手１０３を入れるための手挿入口１７が２つ設けられている。上部開口部１２は、上部カバー２１への取付部（取付口）として機能する。
【００３５】
足挿入口１５は、袋の一部を円状に切取り、さらに切取り形成された円の外周から放射状に４本の切り込み線１６を設けて形成されている。このように足挿入口１５を形成することで、足１０１の出し入れが容易となる。さらに足１０１を挿入後は、足首１０２近傍をほぼ隙間なく覆うことができるので、カスが袋の外に飛び出すことを防止できる。
【００３６】
足挿入口１５の形成要領は、上記要領に限定されるものではなく、足１０１の出し入れが容易で、カスが袋の外に飛び出すことを防止できればよい。足挿入口１５を簡単に設けるには、円状に切り取ることなく、十字状、または放射状に切れ目を設けてもよい。この方法は、簡便に足挿入口１５を設けることができる利点があるが、足首１０２近傍をほぼ隙間なく覆う点に関しては、円の外周から放射状に４本の切れ目を設ける方法が優れている。
【００３７】
手挿入口１７は、袋の一部に十字状のミシン目１８を入れ形成されている。使用する際にこのミシン目１８を破ることで手１０３を挿入することが可能となる。手挿入口１７の形成要領は、上記要領に限定されるものではなく、手１０３の出し入れが容易で、カスが袋の外に飛び出すことを防止できればよい。ミシン目１８の本数は、４本に限定されるものではなく６本、８本と本数を多くすれば、挿入した手１０３を覆う部分の隙間を少なくすることができる。施術者によっては、作業をし易い自分好みの手挿入位置があることが予想されるため、手挿入口１７をミシン目１８で形成すれば、施術者自身が切れ込みを追加することもできる。
【００３８】
カス飛散防止袋１１に設ける足挿入口１５と手挿入口１７との位置関係は、特に限定されるものではなく、基本的に、施術者が被施術者の足１０１の爪又は皮膚の研磨などを行い易い位置にすればよい。一般的には、フットケアカバー１の平面視において、足挿入口１５に対して、左右の手挿入口１７を±１２０〜１５０°程度の位置に設ければよい。足挿入口１５と手挿入口１７との高さ方向の位置関係についても、足１０１及び手１０３の出し入れが容易で、袋内においても楽な姿勢がとれ、研磨し易い位置とすればよい。
【００３９】
また足挿入口１５及び手挿入口１７は、カス飛散防止袋１１を上部カバー２１に取付けた際、上部カバー２１を支える脚３１が邪魔にならない位置に設けることで、研磨作業を支障なく行える。上部カバー２１を支える脚３１が平面視において、１２０°ピッチで３本設けられている本実施形態の場合、足挿入口１５に対して、左右の手挿入口１７を±１２０〜１５０°程度の位置に設け、図３に示すように脚３１と脚３１との間に足挿入口１５及び手挿入口１７を配置させれば脚３１が邪魔にならない。
【００４０】
カス飛散防止袋１１の大きさは、内部に被施術者の足１０１及び施術者の両手１０３を挿入可能で、内部で研磨作業を無理なく行えればよい。施術の際には、足１０１は足首１０２を伸ばした状態、足首１０２を曲げた状態、さらには足１０１を持ち上げた状態があるため、この点を考慮し大きさを決定すべきである。
【００４１】
カス飛散防止袋１１を極端に大きくすると、被施術者の足１０１及び施術者の両手１０３の挿入は容易となるが、足挿入口１５と手挿入口１７との距離が離れ過ぎ、研磨作業を行い難い。一方、カス飛散防止袋１１を極端に小さくすると、被施術者の足１０１及び施術者の両手１０３の挿入が難しく、内部空間Ｖが狭いため研磨作業もし難い。以上のことから、カス飛散防止袋１１の大きさを例示すれば、直径が４００ｍｍ程度、上部カバー２１に取付けた使用状態で上部カバー２１も含めた高さが４５０ｍｍ程度、上部カバー２１の下端から袋の底までの高さが２５０ｍｍ程度である。
【００４２】
カス飛散防止袋１１は、使い捨て（ディスポーザブル）の袋であり、被施術者が代わる毎に交換する。カス飛散防止袋１１を使い捨ての袋とすることで衛生的で気持ちよく使用することができる。さらに白癬菌の感染等を防ぐことができる。またカス飛散防止袋１１を使い捨ての袋とすれば、カス飛散防止袋１１内に不必要に多くのカスが溜らず、視認性も低下し難い。
【００４３】
カス飛散防止袋１１は、使い捨てであることを考えれば安価なものが好ましい。汎用のポリエチレン製の袋（ポリ袋）に足挿入口１５及び手挿入口１７を設けてなるカス飛散防止袋１１は、好ましいカス飛散防止袋１１と言える。足挿入口１５と手挿入口１７の形成要領も非常に単純なため、市販のポリ袋を加工することで簡単にカス飛散防止袋１１とすることができる。例えば、直径が４００ｍｍ程度のカス飛散防止袋１１であれば、市販されている４５Ｌのポリ袋に足挿入口１５及び手挿入口１７を設けることでカス飛散防止袋１１とすることができる。
【００４４】
カス飛散防止袋１１を取付けて使用するフットケアカバー本体５は、上部カバー２１が透明な材料で形成されているので、カス飛散防止袋１１は透明でなくても内部を視認することができるが、視認性をより高め作業性を向上させるためには、カス飛散防止袋１１は透明な方がよい。
【００４５】
またカス飛散防止袋１１は、柔軟性を有するものが好ましい。使用の際には、袋内で挿入した被施術者の足１０１及び施術者の両手１０３を動かす必要があるため、柔軟性を有する袋であれば、袋が抵抗にならず比較的自由に動かすことができる。
【００４６】
カス飛散防止袋１１は、自立できない袋であっても、スタンディングパウチ、ガセット袋など自立可能な袋を使用してもよく、また紙袋を使用してもよい。
【００４７】
フットケアカバー本体５は、取付けられたカス飛散防止袋１１を吊り下げるように支持するものであり、カス飛散防止袋１１を取付ける取付装置、あるいはカス飛散防止袋１１を支持する支持装置ということができる。フットケアカバー本体５は、カス飛散防止袋１１の上部開口部を塞ぐ上部カバー２１と、上部カバー２１を上方に支持する脚３１とを有する。
【００４８】
上部カバー２１は、カス飛散防止袋１１の上部開口部１２を塞ぐカバーであり、カス飛散防止袋１１を取付ける取付部でもある。上部カバー２１は、半球形状のカバー２３の下端に鍔２５が設けられている。上部カバー２１は、カバー２３越しに被施術者の足１０１及び施術者の両手１０３を視認可能に透明な素材で形成されている。
【００４９】
上部カバー２１は、基本的に、内側の被施術者の足１０１及び施術者の両手１０３を視認可能にカス飛散防止袋１１の上部開口部１２を塞ぐことができればよく、形状は、必ずしも半球状でなくてもよいが、上部カバー２１を半球状とすればいずれの方向からも視認性に優れるので好ましい。施術者により、研磨作業をし易い体勢、位置が異なるので、いずれの方向であっても視認性に優れる上部カバー２１は使い勝手がよい。
【００５０】
カバー２３には、基本的に外部から荷重は加わらないので、視認性を考えれば厚さは薄い方が好ましい。一方で、カバー２３が局部的に変形すると光の反射、屈折率が変化し、視認性が低下するので、この点を考慮し厚さ、材質を選定することが好ましい。材料としてはポリカーボネート樹脂など透明性に優れる合成樹脂、ガラスを好適に使用することができる。
【００５１】
鍔２５は、半球形状のカバー２３の下端全周に設けられ、上部カバー２１に取付けられるカス飛散防止袋１１、及びカス飛散防止袋１１を上部カバー２１に固定する固定バンド５１が、カバー２３からずり落ちることを防止する。鍔２５は、上記機能を発揮できればよく、幅を不必要に広くする必要はない。本実施形態では、鍔２５がカバー２１の下端全周に設けられているが、要求される機能を担保できるのであれば、鍔２５はカバー２３の下端外周に部分的に設けられていてもよい。
【００５２】
上部カバー２１の大きさは、鍔２５の外径が、カス飛散防止袋１１の内径よりも少し小さく設定されている。カス飛散防止袋１１は、上部カバー２１の鍔２５及びカバー２３の下部を覆うように取付けられるため鍔２５の外径は、カス飛散防止袋１１の内径よりも少し小さくする必要がある。上部カバー２１を極端に小さくすると、視認性が低下するので好ましくない。
【００５３】
上部カバー２１には、視認性を確保する点から内壁面にカスが付着しないようにすることが望ましい。カスの付着を防止あるいは抑制する手段は、特定の手段に限定されるものではなく、帯電防止剤を内壁面に塗布する方法等が挙げられる。
【００５４】
また上部カバー２１に拡大鏡を設けてもよい。拡大鏡を設けることで細かな研磨作業を楽に行える。拡大鏡は、カバー２３の一部を加工して拡大鏡（レンズ）としてもよく、カバー２３の外壁面に拡大鏡（レンズ）を取付けてもよい。
【００５５】
脚３１は、上部カバー２１に固定され、上部カバー２１を上方に支持する。上部カバー２１を支持する脚３１は、同一の形状、構造の３本の脚３１からなり、脚３１の上部に設けられた固定部３３がカバー２３の下部に接着されている。
【００５６】
３本の脚３１は、上部カバー２１の円周方向に対して１２０°ピッチで配置されている。脚３１の本数は、４本以上であってもよいが、足挿入口１５及び手挿入口１７との位置関係を考えれば３本が好ましい。
【００５７】
脚３１は、鍔２５との間に距離が設けられており、カス飛散防止袋１１を上部カバー２１に取付ける際は、カス飛散防止袋１１は、脚３１と鍔２５との間を通るように持ち上げられる。また固定部３３の下端３４と鍔２５との間には、固定バンド５１を取付けるためのスペースが設けられている。
【００５８】
脚３１の長さは、上部カバー２１に取付けられた状態のカス飛散防止袋１１に必要な高さ、換言すれば研磨作業のし易さから決められる。カス飛散防止袋１１は、上部カバー２１に吊り下げる形で取付けられるため、脚３１を長くすれば、上部カバー２１に取付けられた状態のカス飛散防止袋１１の高さは高くなり、逆に脚３１を短くすれば、上部カバー２１に取付けられた状態のカス飛散防止袋１１の高さは低くなる。
【００５９】
研磨の際には、足首１０２を曲げた状態、さらには足１０１を持ち上げた状態がある。このため脚３１の長さを極端に短くすると足１０１の指先が、上部カバー２１に接触してしまい、研磨作業に支障を来す。脚３１を長くすれば、カス飛散防止袋１１内で足１０１を動かすことは容易になるが、上部カバー２１の高さが高くなり過ぎると、施術を行う際に上部カバー２１が邪魔となる。
【００６０】
脚３１の長さの一例を示せば、上部カバー２１下端から脚の下端までの長さが２５０ｍｍ程度である。本実施形態では、脚３１は、伸縮不能であるが、脚３１を伸縮可能にしてもよい。伸縮機構は、スライド方式など公知の伸縮機構を用いればよい。
【００６１】
脚３１は、図４及び図６に示すようにヒンジ（図示を省略）より折り畳み可能に形成されている。脚３１は、折り畳み不能であってもよいが、折り畳みとすれば収納スペースを小さくすることができ好ましい。また上部カバー２１に対する脚３１の取付け角度を調整可能に構成すれば利便性が高まる。脚３１の形状は、特に限定されるものではないが、脚３１に後述の取付孔３７、クリップ４１を取付ける場合には、それとの関係で適宜決定すればよい。
【００６２】
脚３１には、カス飛散防止袋１１の側部１３を把持するクリップ４１を取付けるための取付孔３７が下端３５及び下端３５から少し上部に設けられている。この取付孔３７を利用することでクリップ４１を脚３１に容易に取付けることができる。本実施形態では、一本の脚３１に、高さの異なる２つの取付孔３７が設けられているが、個数は１個であってもよい。
【００６３】
取付孔３７のうち下の取付孔３７は、脚３１の下端３５に設けることが望ましい。取付孔３７を脚３１の下端３５に設けると、クリップ４１でカス飛散防止袋１１の側部１３を把持することで形成される面とフットケアカバー１を置いた載置面（床面）との間の距離を非常に小さくすることができる。このようにすれば、カス飛散防止袋１１に足１０１を入れてもカス飛散防止袋１１がずれ難く、使用の際にもカス飛散防止袋１１の内部空間Ｖの形状が安定する。
【００６４】
取付孔３７は、クリップ４１を脚３１に取付けるためのものであり、取付孔３７の形状、個数等は使用するクリップの形態に応じて適宜決めればよい。クリップ４１を脚３１へ固定する際に取付孔３７を必要としないのであれば、取付孔３７を設ける必要はない。
【００６５】
クリップ４１は、上部カバー２１に取付けられたカス飛散防止袋１１の側部１３を把持し、カス飛散防止袋１１内に被施術者の足１０１及び施術者の手１０３を入れるための内部空間Ｖを維持する把持手段であり、各脚３１に設けられた取付孔３７を利用して取付けられている。
【００６６】
クリップ４１は、カス飛散防止袋１１を把持することができればよく、ワンタッチで袋を把持できるものが好ましく、目玉クリップ、洗濯バサミなどが挙げられる。なお、クリップ４１は、好ましい把持手段の１つであるが、クリップ４１に代え、他の把持手段を用いてもよい。クリップ４１を用いて、カス飛散防止袋１１の側部１３を把持すれば、カス飛散防止袋１１内に被施術者の足１０１及び施術者の手１０３を入れるための内部空間Ｖが維持されるので好ましい。但し、本フットケアカバー１は、クリップ４１等でカス飛散防止袋１１の側部１３を把持しなくても使用することができる。
【００６７】
固定バンド５１は、ゴムバンドからなり、カス飛散防止袋１１を上部カバー２１に固定する留め具である。本フットケアカバー１は、上部カバー２１に鍔２５が設けられているので、取付け時に固定バンド５１が上部カバー２１から外れ難く、カス飛散防止袋１１を上部カバー２１に簡単に固定することができる。固定バンド５１は、カス飛散防止袋１１を上部カバー２１に着脱自在に固定することができるものであれば、形状等は特に問われない。安価な固定バンド５１が好ましいことは当然である。
【００６８】
固定バンド５１は、カス飛散防止袋１１を上部カバー２１に固定する好ましい留め具の１つであるが、固定バンド５１に代え、他の留め具を使用してもよい。例えば留め具に目玉クリップなどのクリップを使用し、クリップで鍔２５とカス飛散防止袋１１とを挟み込み固定してもよい。カス飛散防止袋１１に代え、後述のカス飛散防止袋７１のように上部にゴムバンド７３を備えるカス飛散防止袋を使用する場合には、固定バンド５１は必要ない。
【００６９】
次にフットケアカバー１の使用方法を説明する。ここで使用するカス飛散防止袋１１は、形態がポリ袋のようなボトムシール袋である。
【００７０】
カス飛散防止袋１１に設けられたミシン目１８を破断し、手挿入口１７を開口させた後、カス飛散防止袋１１を脚３１の内側から上方に持ち上げる。このとき足挿入口１５及び手挿入口１７の位置が、脚３１と脚３１との間になるようにする。
【００７１】
カス飛散防止袋１１を鍔２５を覆うように上部カバー２１に被せ、カバー２３と固定バンド５１とでカス飛散防止袋１１を挟み込み、カス飛散防止袋１１を固定する。その後、カス飛散防止袋１１に内部空間Ｖができるように袋を広げ、袋の側部１３をクリップ４１で固定する。
【００７２】
被施術者は足１０１を足挿入口１５からカス飛散防止袋１１に挿入し、施術者は両手１０３を手挿入口１７からカス飛散防止袋１１に挿入し、爪切り、研磨作業を行う。研磨作業終了後は、足１０１及び手１０３に付着したカスを、カス飛散防止袋１１内で取り払い、カスが溜まったカス飛散防止袋１１は、上部カバー２１から取外し廃棄する。
【００７３】
以上からなるフットケアカバー１は、カス飛散防止袋１１の中で被施術者の足１０１の爪切り、足１０１の爪又は皮膚を研磨するので、カスの周囲への飛散を確実に防止し、カスを回収することができる。またカス飛散防止袋１１は使い捨て（使い切り）の袋であるので衛生的であり、白癬菌の感染も防止できる。さらに使用済のカス飛散防止袋１１は、そのまま廃棄することもできるので使い勝手がよい。
【００７４】
図９は、本発明の第２実施形態のフットケアカバー２のフットケアカバー本体６の外観図、図１０は、フットケアカバー２のフットケアカバー本体６の側面図、図１１は、フットケアカバー２のフットケアカバー本体６に本発明のカス飛散防止袋７１を取付けている様子を示す平面図である。図１２は、フットケアカバー２の使用状態を示す図であり、図１３は、フットケアカバー２の使用例を示す図、図１４は、本発明のカス飛散防止袋７１の外観図である。なお図１２のフットケアカバー２では、他と異なる取付座２７を使用している。図１〜図８に示す第１実施形態のフットケアカバー１と同一の構成には、同一の符号を付して説明を省略する。
【００７５】
本発明の第２実施形態のフットケアカバー２は、本発明の第１実施形態のフットケアカバー１と基本構成を同じくし、カス飛散防止袋と、カス飛散防止袋を吊り下げるように支持するフットケアカバー本体とを含むが、カス飛散防止袋７１及びフットケアカバー本体６の構造が、第１実施形態に示すカス飛散防止袋１１及びフットケアカバー本体５と異なる。また第２実施形態のフットケアカバー２は、カス飛散防止袋１１の側部を把持するクリップ４１と、カス飛散防止袋１１を上部カバー２１に固定する固定バンド５１とを有していない。以下、第１実施形態と異なる点を中心に説明する。
【００７６】
第２実施形態のフットケアカバー２で使用するカス飛散防止袋７１と第１実施形態のフットケアカバー１で使用するカス飛散防止袋１１との違いは、留め具である固定バンドが袋と一体か別体かにあり、袋の形状、大きさ、材質、足挿入口１５及び手挿入口１７の数、位置、形成要領等は同じである。
【００７７】
カス飛散防止袋７１は、袋の上部に固定バンドとしてゴムバンド７３が取付けられ、袋本体７２と留め具とが一体化されている。このようなカス飛散防止袋７１は、使い勝手がよい。但し、第２実施形態のフットケアカバー２においても、カス飛散防止袋７１の代わりに、第１実施形態のフットケアカバー１で使用したカス飛散防止袋１１と留め具である固定バンド５１とを使用することができる。
【００７８】
カス飛散防止袋７１に取付けられるゴムバンド７３は、カス飛散防止袋７１を確実にフットケアカバー本体６の上部カバー２２に取付けることができればよく、汎用のゴムバンドを使用することができる。袋本体７２に対するゴムバンド７３の取付け方法も特に限定されるものではない。
【００７９】
カス飛散防止袋７１において、ゴムバンド７３に代えて、他の固定バンドさらには他の留め具を袋本体７２に取付け使用してもよいが、カス飛散防止袋７１は、使い捨てであるため留め具は、安価なものが好ましい。またカス飛散防止袋７１は、廃棄するに際し、袋本体７２と留め具とを分離する必要がないものが好ましい。
【００８０】
第２実施形態のフットケアカバー２のフットケアカバー本体６も、フットケアカバー本体５と同じく、取付けられたカス飛散防止袋７１を吊り下げるように支持するものであり、カス飛散防止袋７１を取付ける取付装置、あるいはカス飛散防止袋１１を支持する支持装置ということができる。フットケアカバー本体６は、フットケアカバー本体５と同様に、カス飛散防止袋７１の上部開口部を塞ぐ上部カバー２２と、上部カバー２２を上方に支持する脚３２とを有する。
【００８１】
上部カバー２２は、上部カバー２１と同じく、カス飛散防止袋７１の取付部であり、取付けられたカス飛散防止袋７１の上部開口部１２を塞ぐ。上部カバー２２も上部カバー２１と同じく、半球形状のカバー２４の下端に鍔２６が設けられている。
【００８２】
上部カバー２２と上部カバー２１との最も大きな違いは、上部カバー２１が脚３１に可動不能に固定されるのに対して、上部カバー２２は脚３２に対して回動可能に取付けられている点にある。このため上部カバー２２には、カバー２４の両側面の下部に取付座２７が設けられ、この取付座２７に回動軸２８が取付けられている。左右の回動軸２８は、一直線上に配置され、脚３２の上端３８に設けられた軸受（図示省略）に回動自在に嵌合する。この回動軸２８及び軸受は、脚３２に対して傾斜した状態の上部カバー２２をその位置で保持することができる。なお回動軸２８を脚３２に、軸受を上部カバー２２に取付けてもよい。
【００８３】
上部カバー２２を脚３２に対して左右に回動可能（揺動可能）に構成することで、図１３に示すように上部カバー２２を動かし、施術者の手１０３を挿入する側に広いスペースを確保することも（図１３（ａ）参照）、逆に被施術者の足１０１を挿入する側に広いスペースを確保することもできる（図１３（ｂ）参照）。研磨作業をし易い体勢、位置は、施術者により異なるので、上部カバー２２を可動可能とすることで、施術者は上部カバー２２を好みの位置（角度）にすることができる。同様に、上部カバー２２を可動可能とすれば、被施術者も楽な姿勢を取ることができる。
【００８４】
また図１１に示すように上部カバー２２を回動させ、上下を反転させることでカス飛散防止袋７１を簡単に取付けることができる。上部カバー２２の回動範囲は、特に限定されるものではないが、上記使用態様に基づき決定することが好ましい。なお上部カバー２２を３６０°回転可能としてもよい。
【００８５】
さらに上部カバー２２と上部カバー２１とは、半球形状のカバー２３、２４の形状及び鍔２５、２６の形状が異なる。上部カバー２１は、半球形状のカバー２３の下端が側面視においてほぼ一直線である。これに対して上部カバー２２のカバー２４は、側面視において半球形状のカバー２３の下端がＶ字状に切り取ったような形状を有し、図１０に示すように側面視においてカバー２４の下端に設けられた鍔２６は傾斜しており、回動軸２８を中心に左右の鍔２６の夾角αは約１５０°の角度である。
【００８６】
フットケアカバー２を使用する際は、図１２に示すように正面側に施術者が位置し、背面側に被施術者が位置する。上部カバー２２を、半球形状のカバー２３の下端を側面視においてＶ字状に切り取ったような形状とすることで、施術者の手元、あるいは逆に被施術者の足元に広いスペースを確保することができる。
【００８７】
本実施形態の上部カバー２２は、側面視における左右の鍔２６の夾角αが約１５０°であるが、この角度に限定されるものではない。上部カバー２２の左右の鍔２６の夾角αを小さくすれば、正面側あるいは背面側、特に正面側あるいは背面側の高さ方向に大きなスペースを確保することができる。一方で左右の鍔２６の夾角αを小さくするほど、上部カバー２２が覆う面積が小さくなる。これらの点を考慮し、上部カバー２２の左右の鍔２６の夾角α、換言すれば半球形状のカバー２４の下端の切取り角度を決定すればよい。
【００８８】
上部カバー２２の鍔２６は、側面視において回動軸２８を中心に左右の鍔２６が傾斜し、全体としてＶ字形状を有しているが、側面視において回動軸２８を中心に左右の鍔２６がそれぞれ反り上がり、全体として緩やかなＵ字形状であってもよい。
【００８９】
上部カバー２２の素材、視認性、鍔２６を部分的に配置する点、カスの付着を防止あるいは抑制する手段、拡大鏡を設ける点等は、上部カバー２１と同様に考えることができる。
【００９０】
脚３２は、脚３１と同様に上部カバー２２を上方に支持する。脚３２は、上部カバー２２を回動可能に支持するために２本であり、安定して起立すべくそれぞれの脚３２は逆Ｔ字形状を有する。脚３２の形状は、逆Ｔ字形状に限定されるものではなく、上部カバー２２を安定的に支持することができれば他の形状であってもよい。脚３２の上端３８には、上部カバー２２に取付けられた回動軸２８を回動自在に支持する軸受（図示省略）が取付けられている。
【００９１】
脚３２は、脚３１と同様に、カス飛散防止袋７１を上部カバー２２に取付け可能とすべく鍔２６との間に距離が設けられている。脚３２の長さは、脚３１と同様に考えればよい。脚３２を伸縮可能としてもよいことは、脚３１と同じであり、脚３１と同様に折り畳み可能としてもよい。本フットケアカバー２においては、カス飛散防止袋７１の側部をクリップ４１で固定する方式を採用していないため、脚３２にクリップ４１を取付けるための取付孔３７が設けられていないが、取付孔３７を設け、クリップ４１でカス飛散防止袋７１の側部を固定するようにしてもよい。
【００９２】
次にフットケアカバー２の使用方法を説明する。フットケアカバー２の使用方法は、基本的にフットケアカバー１と同じである。ここで使用するカス飛散防止袋７１は、形態がポリ袋のようなボトムシール袋である。
【００９３】
カス飛散防止袋７１に設けられたミシン目１８を破断し、手挿入口１７を開口させた後、図１１に示すように上部カバー２２を上下反転させ、カス飛散防止袋７１の上部を鍔２６を覆うように上部カバー２２に被せる。カス飛散防止袋７１には、ゴムバンド７３が取付けられているので簡単に上部カバー２２に固定することができる。その後、上部カバー２２を元の位置に戻す。
【００９４】
被施術者は足１０１を足挿入口１５からカス飛散防止袋７１内に挿入し、施術者は両手１０３を手挿入口１７からカス飛散防止袋１１内に挿入し、爪切り、研磨作業を行う。このとき上部カバー２２の脚３２に対する角度を被施術者又は被施術者の好ましい角度とすることができる。研磨作業終了後は、足１０１及び手１０３に付着したカスを、カス飛散防止袋７１内で取り払い、カスが溜まったカス飛散防止袋７１は、上部カバー２２から取外し廃棄する。
【００９５】
以上からなるフットケアカバー２も、フットケアカバー１と同様に、カス飛散防止袋７１の中で被施術者の足１０１の爪切り、足１０１の爪又は皮膚を研磨するので、カスの周囲への飛散を確実に防止し、カスを回収することができる。またカス飛散防止袋７１は使い捨て（使い切り）の袋であるので衛生的であり、白癬菌の感染も防止できる。さらに使用済のカス飛散防止袋７１は、そのまま廃棄することもできるので使い勝手がよい。
【００９６】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００９７】
１、２  フットケアカバー
５、６  フットケアカバー本体
１１、７１  カス飛散防止袋
１２  上部開口部
１３  袋の側部
１５  足挿入口
１６  切り込み線
１７  手挿入口
１８  ミシン目
２１、２２  上部カバー
２３、２４  カバー
２５、２６  鍔
２７  取付座
２８  揺動軸
３１、３２  脚
３３  脚の固定部
３４  脚の固定部下端
３５  脚の下端
３７  クリップ取付孔
３８  脚の上端
４１  クリップ
５１  固定バンド
７２  袋本体
７３  ゴムバンド
１０１  足
１０２  足首
１０３  手
１１０  ルーター
Ｖ  内部空間
【図１０】
2016147041.tif 000003
【図１】
2016147041.tif 000004
【図２】
2016147041.tif 000005
【図３】
2016147041.tif 000006
【図４】
2016147041.tif 000007
【図５】
2016147041.tif 000008
【図６】
2016147041.tif 000009
【図７】
2016147041.tif 000010
【図８】
2016147041.tif 000011
【図９】
2016147041.tif 000012
【図１１】
2016147041.tif 000013
【図１２】
2016147041.tif 000014
【図１３】
2016147041.tif 000015
【図１４】
2016147041.tif 000016